(57)【特許請求の範囲】
【請求項１】
発光領域および前記発光領域の周辺に設けられる非発光領域を含む面状発光パネルと、
前記面状発光パネルの発光面に対して間隙を隔てて配置された光学フィルタと、
前記光学フィルタの前記面状発光パネルとは反対側に配置された光拡散部材と、を備え、
前記光学フィルタに対して、少なくとも２以上の前記面状発光パネルが並べるようにして配置され、
前記光学フィルタは、その面内において、前記発光領域の中央部に対向する領域よりも前記非発光領域に対向する領域の方が透過率が高くなる透過率分布を有し、
前記面状発光パネルの発光領域の前記光学フィルタへの光源射影部の輪郭線を前記光学フィルタ上に確認した場合において、前記透過率分布の一部の透過率の等高線が前記輪郭線を複数個所で交差するように、前記光学フィルタの透過率分布が調整されている、面状発光ユニット。
【請求項２】
前記一部の透過率の等高線が波状に形成されることによって、前記一部の透過率の等高線が、前記光源射影部の前記輪郭部と複数個所で交差するよう、前記光学フィルタの透過率分布が調整されている、請求項１に記載の面状発光ユニット。
【請求項３】
前記一部の透過率の等高線の前記光源射影部の中心からの距離が変化するように前記光学フィルタの透過率分布が構成されることによって、前記輪郭線と前記等高線とが交差するよう、前記光学フィルタの透過率分布が調整されている、請求項１に記載の面状発光ユニット。
【請求項４】
前記一部の透過率の等高線は、前記輪郭線の略全周に渡り、前記輪郭線と往復交差している、請求項１から請求項３のいずれか１項に記載の面状発光ユニット。
【請求項５】
前記輪郭線上において前記透過率が相対的に高い箇所と低い箇所とが交互に存在するように、前記光学フィルタの透過率分布が調整されている、請求項１に記載の面状発光ユニット。
【請求項６】
前記光学フィルタは、
光透過部材と、
前記光透過部材の表面に設けられる、遮光性を有する複数のドットとを有し、
複数の前記ドットの配置密度を調整することにより、前記光学フィルタの透過率分布が調整されている、請求項１から請求項５のいずれか１項に記載の面状発光ユニット。
【請求項７】
前記面状発光パネルは白色光源であり、
前記ドットに白色材料を用いることにより、前記光学フィルタの透過率分布が調整されている、請求項６に記載の面状発光ユニット。
【請求項８】
前記ドットは、光を散乱する機能を有する、請求項６に記載の面状発光ユニット。
【発明の詳細な説明】
【技術分野】
【０００１】
本発明は、面状発光パネルを用いた面状発光ユニットの構造に関する。
【背景技術】
【０００２】
近年、有機ＥＬ（Organic  Electroluminecense）等を利用した面状発光パネルを用いた面状発光ユニットが提案されている。この面状発光ユニットを大型化しようとした場合、複数の面状発光ユニットを平面状に並べることになる。【０００３】
特開２０１０−１０３０１３号公報（特許文献１）および特開２０１２−１６３７８５号公報（特許文献２）には、面状発光パネルを用いた面状発光ユニットが開示されている。
【先行技術文献】
【特許文献】
【０００４】
【特許文献１】特開２０１０−１０３０１３号公報
【特許文献２】特開２０１２−１６３７８５号公報
【発明の概要】
【発明が解決しようとする課題】
【０００５】
面状発光パネルの発光輝度分布において、面状発光パネルの周辺部分には非発光領域が形成されることが知られている。したがって、この面状発光パネルを縦横に複数枚並べて大きな光源として用いた場合には、非発光領域が直線状（格子状）に浮かび上がる課題が生じる。【０００６】
この発明は上記課題に鑑みてなされたものであり、面状発光パネルの発光部と非発光部との境界を目立たなくすることを可能とする、面状発光ユニットを提供することを目的とする。
【課題を解決するための手段】
【０００７】
この発明の一側面に従う面状発光ユニットにおいては、発光領域および上記発光領域の周辺に設けられる非発光領域を含む面状発光パネルと、上記面状発光パネルの発光面に対して間隙を隔てて配置された光学フィルタと、上記光学フィルタの上記面状発光パネルとは反対側に配置された光拡散部材とを備えている。
【発明の効果】
【０００８】
この発明によれば、面状発光パネルの発光部と非発光部との境界を目立たなくすることを可能とする、面状発光ユニットを提供することを可能とする。
【図面の簡単な説明】
【０００９】
【図１】実施の形態における面状発光パネルの基本構成を示す平面図である。
【図２】図２中ＩＩ−ＩＩ線矢視断面図である。
【図３】実施の形態における面状発光ユニットの概略構成を示す断面図である。
【図４】実施の形態における面状発光ユニットの光学フィルタを光拡散板側から見た図である。
【図５】背景技術における面状発光ユニットの光学フィルタを光拡散板側から見た図である。
【図６】実施の形態における面状発光ユニットの光学フィルタを光拡散板側から見た場合の透過率分布を示す図である。
【図７】図６中のＶＩＩ−ＶＩＩ線（９０ｍｍ位置）での透過率を示す断面図である。
【図８】背景技術における面状発光ユニットの光学フィルタを光拡散板側から見た場合の透過率分布を示す図である。
【図９】図８中のＩＸ−ＩＸ線（９０ｍｍ位置）での透過率を示す断面図である。
【図１０】実施の形態における面状発光ユニットの光拡散板上の輝度分布を示す図である。
【図１１】背景技術における面状発光ユニットの光拡散板上の輝度分布を示す図である。
【図１２】図４中のＸＩＩで囲まれた領域の光学フィルタの透過率分布を示す概念部分拡大図である。
【発明を実施するための形態】
【００１０】
本発明に基づいた各実施の形態における面状発光パネルおよびこの面状発光パネルを用いた面状発光ユニットについて、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００１１】
（面状発光パネル１０）
図１および図２を参照して、本実施の形態における面状発光パネル１０の基本構成について説明する。図１は、面状発光パネル１０を示す正面図であり、面状発光パネル１０の背面１９の側から面状発光パネル１０を見たときの様子を示している。図２は、図１中ＩＩ−ＩＩ線矢視断面図である。
【００１２】
本実施の形態における面状発光パネル１０は、有機ＥＬから構成される。面状発光パネル１０は、複数の発光ダイオード（ＬＥＤ）と拡散板とから面状発光パネルとして構成されていてもよいし、冷陰極管等を用いて面状発光パネルとして構成されていてもよい。
【００１３】
図１および図２を参照して、面状発光パネル１０は、透明基板１１（カバー層）、陽極（アノード）１４、有機層１５、陰極（カソード）１６、封止部材１７および絶縁層１８を含む。陽極１４、有機層１５、および陰極１６により面状発光素子１を構成する。
【００１４】
透明基板１１は、面状発光パネル１０の表面１２（発光面）を形成し、透明基板１１の外周端面は、面状発光パネル１０の外周１０Ｅを形成している。陽極１４、有機層１５および陰極１６は、透明基板１１の裏面１３上に順次積層される。封止部材１７は、面状発光パネル１０の背面１９を形成している。
【００１５】
透明基板１１を構成する部材としては、ポリエチレンテレフタレート（ＰＥＴ）またはポリカーボネイト（ＰＣ）等の光透過性のフィルム基板が用いられる。透明基板１１に、各種ガラス基板を用いてもよい。
【００１６】
光透過性のフィルム基板としては、他にポリイミド、ポリエチレンナフタレート（ＰＥＮ）、ポリスチレン（ＰＳ）、ポリエーテルサルフォン（ＰＥＳ）、ポリプロピレン（ＰＰ）等が用いられる。
【００１７】
陽極１４は、透明性を有する導電膜である。陽極１４を形成するためには、スパッタリング法等によって、ＩＴＯ（Indium  Tin  Oxide：インジウム錫酸化物）等が透明基板１１上に成膜される。陽極１４に用いられる他の材料としては、ポリエチレンジオキシチオフェン（ＰＥＤＯＴ）が用いられる。
【００１８】
有機層１５（発光部）は、電力が供給されることによって光（可視光）を生成することができる。有機層１５は、単層の発光層から構成されていてもよく、正孔輸送層、発光層、正孔阻止層、および電子輸送層などが順次積層されることによって構成されていてもよい。
【００１９】
陰極１６は、たとえばアルミニウム（ＡＬ）である。陰極１６は、真空蒸着法等によって有機層１５を覆うように形成される。陰極１６を所定の形状にパターニングするために、真空蒸着の際にはマスクが用いられるとよい。陰極１６の他の材料としては、フッ化リチウム（ＬｉＦ）、ＡｌとＣａとの積層、ＡｌとＬｉＦとの積層、および、ＡｌとＢａとの積層等が用いられる。
【００２０】
陰極１６と陽極１４とが短絡しないように、陰極１６と陽極１４との間に絶縁層１８が設けられる。絶縁層１８は、たとえばスパッタリング法を用いてＳｉＯ２などが成膜された後、フォトリソグラフィ法等を用いて陽極１４と陰極１６とを互いに絶縁する箇所を覆うように所望のパターンに形成される。
【００２１】
封止部材１７は、絶縁性を有する樹脂またはガラス基板などから構成される。封止部材１７は、有機層１５を水分等から保護するために形成される。封止部材１７は、陽極１４、有機層１５、および陰極１６（面状発光パネル１０の内部に設けられる部材）の略全体を透明基板１１上に封止する。陽極１４の一部は、電気的な接続のために、封止部材１７から露出している。
【００２２】
封止部材１７には、ＰＥＴ、ＰＥＮ、ＰＳ、ＰＥＳ、ポリイミド等のフィルムに、ＳｉＯ２、ＡＬ２Ｏ３、ＳｉＮｘ等の無機薄膜と柔軟性のあるアクリル樹脂薄膜などを層状に複数層重ね合わせることでガスバリア性を備えたものが用いられる。電極部２１および電極部２２には、さらに金、銀、銅などを積層してもよい。
【００２３】
陽極１４の封止部材１７から露出している部分（図２左側）は、電極部２１（陽極用）を構成する。電極部２１と陽極１４とは互いに同じ材料で構成される。電極部２１は、面状発光パネル１０の外周に位置する。陰極１６の封止部材１７から露出している（図２右側の）部分は、電極部２２（陰極用）を構成する。電極部２２と陰極１６とは互いに同じ材料で構成される。電極部２２も、面状発光パネル１０の外周に位置する。
【００２４】
電極部２１および電極部２２は、有機層１５を挟んで相互に反対側に位置している。隣り合う電極部２１および電極部２２同士の間には、分割領域２０（図１参照）が形成されている。電極部２１および電極部２２には、はんだ付け（銀ペースト）等を用いて配線パターン（図示せず）が取り付けられる。
【００２５】
以上のように構成される面状発光パネル１０の有機層１５には、外部の電源装置から、図示しない配線パターン、電極部２１，２２、陽極１４および陰極１６を通して電力が供給される。有機層１５で生成された光は、陽極１４および透明基板１１を通して、表面１２（発光面）から外部に取り出される。
【００２６】
表面１２において、略有機層１５に対応する領域が、光を発光する発光領域ＬＡを構成し、発光領域ＬＡを取り囲む周辺の領域が非発光領域ＮＬＡとなる。本実施の形態では、透明基板１１の外形サイズは、１００ｍｍ×１００ｍｍであり、発光領域ＬＡは、９０ｍｍ×９０ｍｍである。よって、非発光領域ＮＬＡの幅は５ｍｍである。
【００２７】
（面状発光ユニット１００）
次に、図３および図４を参照して、上記構成を備える面状発光パネル１０を用いた面状発光ユニット１００の概略構成について説明する。図３は、面状発光ユニット１００の概略構成を示す断面図、図４は、面状発光ユニット１００の光学フィルタ３１を光拡散板３０側から見た図である。
【００２８】
この面状発光ユニット１００は、２枚の面状発光パネル１０を用いている。枚数に制限はなく、必要に応じた枚数を用いるとよい。本実施の形態において、２枚の面状発光パネル１０は、透明基板１１の外周１０Ｅ同士が略当接するように同じ面内において並べて配置される。よって、２枚の面状発光パネル１０の発光領域ＬＡの間には、幅ｃ（約１０ｍｍ）の非発光領域ＮＬＡが形成される。
【００２９】
面状発光パネル１０の発光面１２側には、この発光面１２に対して所定の間隙（ｂ：約１０ｍｍ）を隔てて光学フィルタ３１が、発光面１２に対して平行に配置されている。光学フィルタ３１の面状発光パネル１０とは反対側には、発光面１２に対して所定の間隙（ａ）を隔てて光拡散板３０が発光面１２に対して平行に配置されている。光学フィルタ３１と光拡散板３０との間には、隙間（ｄ）が形成されている。
【００３０】
光拡散部材としての光拡散板３０は、粒子径、粒度分布および屈折率等において所望の値を有する光拡散剤（光拡散用の微粒子）を選び、ポリカーボネート樹脂などの基材中にその光拡散材が分散されることで作製されることができる。光拡散部材としては、光拡散板に限られず、光拡散シート、光透過散光光学フィルタまたは導光板なども好適に用いることができる。光拡散部材としては、マイクロレンズアレイ（凹凸）状の表面形状を有する透明基材が用いられてもよい。
【００３１】
光学フィルタ３１には、その面内において、発光領域ＬＡの中央部に対向する領域よりも非発光領域ＮＬＡに対向する領域の方が透過率が高くなる透過率分布を有しているが、さらに後述する光透過特性を有する。図３中において、面状発光パネル１０の発光領域ＬＡから光学フィルタ３１への垂直投影領域を波線で示している。
【００３２】
一般的に、片面発光の面状発光パネル１０を複数配列した場合に、非発光領域ＮＬＡを目立たなくするためには、光拡散板３０との間隙（ｂ）を十分に長く取ることが好ましい。しかし、一方で、面状発光ユニット１００の厚さが厚くなる。そこで、光学フィルタ３１を設けることで、面状発光ユニット１００の薄型化を図っている。
【００３３】
（光学フィルタ３１の透過率分布）
次に、図４から図９を参照して、本実施の形態における光学フィルタ３１の透過率分布について説明する。図４は、本実施の形態における光学フィルタ３１を光拡散板側から見た図、図５は、背景技術における光学フィルタ３１Ｙを光拡散板側から見た図、図６は、本実施の形態における光学フィルタ３１を光拡散板側から見た場合の透過率分布を示す図、図７は、図６中のＶＩＩ−ＶＩＩ線（９０ｍｍ位置）での透過率を示す断面図、図８は、背景技術における光学フィルタを光拡散板側から見た場合の透過率分布を示す図、図９は、図８中のＩＸ−ＩＸ線（９０ｍｍ位置）での透過率を示す断面図である。
【００３４】
図４を参照して、光拡散板３０にて光を均一にするが、光学フィルタ３１を面状発光パネル１０と光拡散板３０との間に配置することで、面状発光ユニット１００の全体の厚さ方向を薄くし、発光面での発光均一性を上げることができる。
【００３５】
たとえば、光学フィルタの光透過率に関し、発光領域ＬＡから光学フィルタ３１への垂直投影領域である光源射影部ＲＡに対応する領域においては、光学フィルタの光透過率を下げ、その外側の非発光領域ＮＬＡに対応する領域においては、光学フィルタの光透過率を上げることで、面状発光ユニット１００の全体としての光発光の均一化を図ることができる。
【００３６】
つまり、光学フィルタ３１は、その面内において、発光領域ＬＡの中央部に対向する領域よりも非発光領域ＮＬＡに対向する領域の方が透過率が高くなる透過率分布を有している。
【００３７】
しかし、面状発光ユニット１００の発光面においては、光発光領域ＬＡと非発光領域ＮＬＡとの境界に対応する領域には、直線状の明暗部が依然として残る。人間の目（脳）には、明暗の差が小さい場合でも、明暗の差の領域が直線等の規則的な場合には、比較的容易にその明暗を認識する。一方、明暗の差の領域が波状（ギザギザ）等の不規則的な場合には、人間の目（脳）には、その明暗の差が生じている領域の認識が困難になる。
【００３８】
本実施の形態における光学フィルタ３１においては、光学フィルタ３１を、光拡散板３０側から平面視し、面状発光パネル１０の発光領域ＬＡの光学フィルタ３１への光源射影部ＲＡの輪郭線ＲＡＬを光学フィルタ３１上に確認した場合において、透過率分布の内一部の透過率の等高線３１ａが輪郭線ＲＡＬを複数個所で交差するように、光学フィルタ３１の透過率分布が調整されている。
【００３９】
その際、透過率の等高線３１ａを辿ってゆくときに、この等高線３１ａの光源射影部ＲＡの中心からの距離が変化するように光学フィルタ３１の透過率分布が構成されることによって、輪郭線ＲＡＬと等高線３１ａとが交差するように構成されているとよい。したがって、上記輪郭線ＲＡＬ上においては、上記透過率が相対的に高い箇所と低い箇所とが交互に形成されることになる。
【００４０】
本実施の形態においては、図４に示すように、たとえば、等高線３１ａは、曲線および直線を用いた全体として波状（ギザギザ）の軌跡を描いており、その軌跡が複数個所で輪郭線ＲＡＬを交差している。その結果、明暗の差の領域が波状の不規則的な領域となり、人間の目（脳）には、その明暗の差が生じている領域の認識が困難となる。これにより、面状発光ユニット１００の発光面において、光発光領域ＬＡと非発光領域ＮＬＡとの境界に対応する領域での明暗の差を目立たなくさせることができる。
【００４１】
透過率の等高線３１ａが略全周に渡って輪郭線ＲＡＬと交差しており、輪郭線ＲＡＬの何れの位置においても明暗の差が目立たなくなっている。しかし、たとえば隣接する面状発光パネル１０が存在しない位置の輪郭線ＲＡＬ、換言すれば発光領域ＬＡ同士の境界とはならない輪郭線ＲＡＬと、透過率の等高線３１ａとは必ずしも交差しなくとも問題はない。
【００４２】
一方、図５は、光学フィルタ３１の等高線３１ｂの位置を、輪郭線ＲＡＬの内側に設けたものである。輪郭線ＲＡＬに沿って、直線状の明暗部が依然として残る。そのため、面状発光ユニット１００の発光面において、人間の目（脳）には、比較的容易にその明暗を認識することができてしまう。
【００４３】
図６および図７を参照して、本実施の形態における光学フィルタ３１の透過率特性の２次元分布において、規則化された透過率の最も高いところを「１」、透過率の最も低いところを「０」としている。これらの図の横軸は、図３および図４に示されるような２枚の面状発光パネル１０相互の境となる位置を０としたときのそれぞれの面状発光パネル１０における位置（ｍｍ）を示し、図７における縦軸は、透過率を示す。図６において透過率はハッチングにより識別されている。
【００４４】
図６において、たとえば、輪郭線ＲＡＬに対応する領域である、横軸の−１００ｍｍ〜−９０ｍｍ、−１０ｍｍ〜０ｍｍ、０ｍｍ〜１０ｍｍ、９０ｍｍ〜（１００）ｍｍ、縦軸の（０ｍｍ）〜１０ｍｍ、９０ｍｍ〜１００ｍｍの範囲においては、透過率が「０．３〜０．４」を選択した場合には、波打つように透過率「０．３〜０．４」の領域が形成され、輪郭線ＲＡＬを複数箇所で交差している。透過率が、「０．１〜０．２」、「０．４〜０．５」、「０．５〜０．６」等の場合も同様である。
【００４５】
図７を参照して、図６中のＶＩＩ−ＶＩＩ線（９０ｍｍ位置）での透過率は、一律ではなく、折れ線に変化していることが分かる。
【００４６】
これらの透過率の等高線３１ａの振幅は、±５ｍｍ程度である。等高線３１ａの振幅が±１ｍｍ以上であれば、明暗の差の領域が波状の不規則的な領域となり、人間の目（脳）での認識が困難となる。
【００４７】
図８および図９を参照して、背景技術における光学フィルタ３１Ｙの透過率特性の２次元分布において、規則化された透過率の最も高いところを「１」、透過率の最も低いところを「０」としている。これらの図の横軸は、面状発光パネル１０における位置（ｍｍ）を示し、図９の縦軸は、透過率を示す。図８において透過率はハッチングにより識別されている。
【００４８】
図９を参照して、図８中のＩＸ−ＩＸ線（９０ｍｍ位置）での透過率は直線で表わされる。その結果、透過率の変化が規則的となり、輪郭線ＲＡＬにそって直線状の明暗部が依然と存在することになる。これにより、面状発光ユニット１００の発光面において、人間の目（脳）には、比較的容易にその明暗を認識することができてしまう。
【００４９】
図１０は、本実施の形態における面状発光ユニット１００の光拡散板３０上での輝度分布を示す。光拡散板３０上での輝度分布のランダム化が達成できている。その結果、輪郭線ＲＡＬにそって線上の明暗部が発生することなく、人間の目で見た場合での光の均一化を可能としている。
【００５０】
一方、図１１は、背景技術における面状発光ユニットの光拡散板上での輝度分布を示す。光拡散板上では、ある程度の光の均一化は図られているが、輪郭線ＲＡＬに沿ったような暗い部分が直線状に存在しており、人間の目で見た場合に暗線として目立つことになる。
【００５１】
（光学フィルタ３１の透過率分布の製造方法）
図１２を参照して、本実施の形態における光学フィルタ３１の透過率分布の製造方法について説明する。図１２は、図４中のＸＩＩで囲まれた領域の光学フィルタの透過率分布を示す概念部分拡大図である。光学フィルタ３１は、光透過部材３１ｐと、この光透過部材３１ｐの表面に設けられる、遮光性を有する複数のドット３１ｄとを有している。
【００５２】
本実施の形態では、面状発光パネル１０は白色光源であることから、ドット３１ｄには、白色インクを用いるとよい。ドット３１ｄは、インクジェット方式により光透過部材３１ｐの表面に描画され、１つ１つのドット３１ｄのサイズ（直径）は均一である。ドット３１ｄは白色には限定されないが、反射する光を散乱させる機能を有するとよい。また、ドット３１ｄは、半透明材料で形成されていてもよい。
【００５３】
光透過部材３１ｐの表面を、複数の区画領域３１ｓに分け、区画領域３１ｓによってドット３１ｄを打つ数を変えている。各区画領域３１ｓにおいて透過率を変えることができるため、本実施の形態のような複雑な２次元透過率分布を有する光学フィルタ３１を作成することが可能となり、図１２に示すように、選択透過率の等高線３１ａを形成することができる。
【００５４】
このように本実施の形態における面状発光ユニットによれば、非発光部を有する面状発光パネル１０を並べて一つの面状発光ユニットを形成する際に用いられる光学フィルタ３１において、光学フィルタ３１の透過率特性を曲線または折れ線にすることで、非発光部に起因する暗部が、人の目（脳）に認識し難いランダムに表出することとなる。
【００５５】
その結果、非発光部に起因する暗部が目立たなくなり、面状発光ユニットの実効的な発光の均一性を向上させることが可能となる。
【００５６】
以上説明した面状発光ユニットにおいては、発光領域および上記発光領域の周辺に設けられる非発光領域を含む面状発光パネルと、上記面状発光パネルの発光面に対して間隙を隔てて配置された光学フィルタと、上記光学フィルタの上記面状発光パネルとは反対側に配置された光拡散部材とを備えている。
【００５７】
上記光学フィルタに対して、少なくとも２以上の前記面状発光パネルが並べるようにして配置され、上記光学フィルタは、その面内において、上記発光領域の中央部に対向する領域よりも上記非発光領域に対向する領域の方が透過率が高くなる透過率分布を有し、上記面状発光パネルの発光領域の上記光学フィルタへの光源射影部の輪郭線を上記光学フィルタ上に確認した場合において、上記透過率分布の一部の透過率の等高線が上記輪郭線を複数個所で交差するように、上記光学フィルタの透過率分布が調整されている。
【００５８】
上記光学フィルタの透過率分布は、透過率の等高線が上記光源射影部の中心からの距離が変化するように構成されることによって、上記輪郭線と交差するように構成されるとよい。あるいは、透過率の等高線が波状に構成されることで、上記輪郭線と交差するように構成されるとよい。加えて、上記輪郭線の略全周に渡って上記等高線が交差するように構成されるとよい。
【００５９】
また、上記輪郭線上において上記透過率が相対的に高い箇所と低い箇所とが交互に存在するように、前記光学フィルタの透過率分布が調整されている。
【００６０】
あるいは、上記光学フィルタは、光透過部材と、上記光透過部材の表面に設けられる、遮光性を有する複数のドットとを有し、複数の上記ドットの配置密度を調整することにより、上記光学フィルタの透過率分布が調整されている。
【００６１】
あるいは、上記面状発光パネルは白色光源であり、上記ドットに白色材料を用いることにより、上記光学フィルタの透過率分布が調整されている。
【００６２】
あるいは、上記ドットは、光を散乱する機能を有する。
上述の面状発光ユニットの構成によれば、面状発光パネルの発光部と非発光部との境界を目立たなくすることを可能とする、面状発光ユニットを提供することを可能とする。
【００６３】
以上、本発明の各実施の形態における面状発光ユニットについて説明したが、今回開示された実施の形態は全ての点で例示であって制限的なものではないと考えられるべきである。したがって、本発明の範囲は請求の範囲によって示され、請求の範囲と均等の意味および範囲内での全ての変更が含まれることが意図される。
【符号の説明】
【００６４】
１  面状発光素子、１０  面状発光パネル、１０Ｅ  外周、１１  透明基板、１２  表面、１３  裏面、１４  陽極、１５  有機層、１６  陰極、１７  封止部材、１８  絶縁層、１９  背面、３０  拡散板、３１  光学フィルタ、３１ａ  等高線、３１  光透過部材、３１ｄ  ドット。
【要約】
この面状発光ユニットは、光学フィルタに対して、少なくとも２以上の面状発光パネルが並べるようにして配置され、光学フィルタ（３１）は、その面内において、発光領域（ＬＡ）の中央部に対向する領域よりも非発光領域（ＮＬＡ）に対向する領域の方が透過率が高くなる透過率分布を有し、面状発光パネルの発光領域（ＬＡ）の光学フィルタ（３１）への光源射影部（ＲＡ）の輪郭線（ＲＡＬ）を光学フィルタ（３１）上に確認した場合において、透過率分布の一部の透過率の等高線（３１ａ）が輪郭線（ＬＡＬ）を複数個所で交差するように、光学フィルタ（３１）の透過率分布が調整されている。【図１】
0005700184.tif 000002
【図２】
0005700184.tif 000003
【図３】
0005700184.tif 000004
【図４】
0005700184.tif 000005
【図５】
0005700184.tif 000006
【図７】
0005700184.tif 000007
【図９】
0005700184.tif 000008
【図１２】
0005700184.tif 000009
【図６】
0005700184.tif 000010
【図８】
0005700184.tif 000011
【図１０】
0005700184.tif 000012
【図１１】
0005700184.tif 000013